(57)【要約】【課題】プーリに対するケーブルの掛け回し作業を目視しながら行うことができるようにする。【解決手段】ケーブル案内部材１６は、車体パネルの車内側に固定され、かつ車外側へ向けて凹んだ収容部１６１ａを有するケーシング１６１と、ケーシング１６１の収容部１６１ａに枢軸１６３により枢支されるとともに、ケーブル１１が車体パネルの車内側から車外側へ誘導されるように掛け回されるプーリ１６２と、プーリ１６２を覆うように収容部１６１ａを閉塞して、ケーシング１６１に固定されるカバー１６４とを有し、カバー１６４をケーシング１６１に固定していない状態において、プーリ１６２のケーブル１１が掛け回される外周を収容部１６１ａから露呈させる。【選択図】        図７
2004346622.tif 000002
【特許請求の範囲】
【請求項１】
車体パネルに開閉可能に支持された開閉体に対して、前記車体パネルの車内側に配置されるモータ駆動ユニットのモータ駆動力を伝達可能なケーブルを、前記車体パネルの車内側から車外側へ誘導するための車両用開閉体の開閉装置におけるケーブル案内部材において、
前記ケーブル案内部材は、前記車体パネルの車内側に固定され、かつ車外側へ向けて凹んだ収容部を有するケーシングと、該ケーシングの収容部に枢軸により枢支されるとともに、前記ケーブルが前記車体パネルの車内側から車外側へ誘導されるように掛け回されるプーリと、該プーリを覆うように前記収容部を閉塞して、前記ケーシングに固定されるカバーとを有し、前記カバーを前記ケーシングに固定していない状態において、前記プーリの前記ケーブルが掛け回される外周を前記収容部から露呈させるようにしたことを特徴とする車両用開閉体の開閉装置におけるケーブル案内部材。
【請求項２】
ケーシングの収容部に、プーリの枢軸が嵌合し、該枢軸を支持可能な枢軸嵌合溝を設けた請求項１記載の車両用開閉体の開閉装置におけるケーブル案内部材。
【請求項３】
カバーに、ケーシングの枢軸嵌合溝に嵌合したプーリの枢軸に当接可能な枢軸押さえ部を設けた請求項２記載の車両用開閉体の開閉装置におけるケーブル案内部材。
【請求項４】
ケーシングは、ケーブルを車体パネルの車内側から車外側へ挿通させるためのケーブル挿通孔を有し、前記ケーシングにおける前記ケーブル挿通孔の周囲に、前記ケーブル挿通孔を閉塞するとともに、前記ケーブルが摺動可能に挿通し、かつ前記ケーブルの移動方向の向きの変位に追従して撓曲可能なブーツを設けた請求項１〜３のいずれかに記載の車両用開閉体の開閉装置におけるケーブル案内部材。
【請求項５】
カバーに、ケーシングの収容部に枢支されたプーリの外周に接近する内壁部を設けた請求項１〜４のいずれかに記載の車両用開閉体の開閉装置におけるケーブル案内部材。
【請求項６】
ケーシングに、ケーブルが摺動可能に挿通される導管の端部が嵌合可能な導管嵌合溝を設け、カバーに、前記導管嵌合溝に嵌合した前記導管の端部に当接し、前記導管の端部を前記導管嵌合溝に押圧可能な導管押さえ部を設けた請求項１〜５のいずれかに記載の車両用開閉体の開閉装置におけるケーブル案内部材。
【請求項７】
ケーシングまたはカバーの一方に設けた爪部に、他方に設けた孔部を係合することにより、前記カバーを前記ケーシングに固定するようにした請求項１〜６のいずれかに記載の車両用開閉体の開閉装置におけるケーブル案内部材。
【発明の詳細な説明】
【０００１】
【発明の属する技術分野】
本発明は、車両用開閉体の開閉装置におけるケーブル案内部材に関する。
【０００２】
【従来の技術】
従来、車両用開閉体の開閉装置においては、車体パネルの車内側に配置されるモータ駆動ユニットのモータ駆動により、回転ドラムに巻き取り及び送り出し可能に掛け回されたケーブルを、可撓性の導管を挿通させた後、車体パネルの車外側に設けられたガイドレールに沿って開閉可能に支持されたスライドドアに連結することによって、回転ドラムの回転に伴うケーブルの巻き取り及び送り出しにより、スライドドアを開閉移動させるようになっている。
そして、車体パネルのガイドレールの前後端の近傍には、ケーブルを車体パネルの車内側から車外側へ導出させるように誘導するケーブル案内部材が配置されている。このケーブル案内部材は、車体パネルにブラケットを介して固定される箱状のプーリカバーと、プーリカバー内にシャフトにより枢支されるとともに、ケーブルが掛け回されるプーリとを有している（例えば、特許文献１参照）。
【０００３】
【特許文献１】
特開２００１−１１５７３６号公報
【０００４】
【発明が解決しようとする課題】
しかし、上述のような従来の車両用開閉体の開閉装置におけるケーブル案内部材においては、予めケーブルをプーリカバーに挿通させた状態で、プーリをプーリカバー内に挿入してシャフトにより枢支する作業と同時に、プーリにケーブルを掛け回す作業をしなければならないため、組付作業が極めて悪い。特に、プーリにケーブルを掛け回す作業を行う場合に、目視しながら作業を行うことが困難であるため、プーリに対するケーブルの掛け回し作業が極めて悪い。
【０００５】
本発明は、従来の技術が有する上記のような問題点に鑑み、プーリに対するケーブルの掛け回し作業を目視しながら行うことができるようにして、ケーブルの組付作業の向上、及びケーブルの確実な掛け回しを可能にした車両用開閉体の開閉装置におけるケーブル案内部材を提供することを目的としている。
【０００６】
【課題を解決するための手段】
本発明によると、上記課題は、次のようにして解決される。
（１）車体パネルに開閉可能に支持された開閉体に対して、前記車体パネルの車内側に配置されるモータ駆動ユニットのモータ駆動力を伝達可能なケーブルを、前記車体パネルの車内側から車外側へ誘導するための車両用開閉体の開閉装置におけるケーブル案内部材において、前記ケーブル案内部材は、前記車体パネルの車内側に固定され、かつ車外側へ向けて凹んだ収容部を有するケーシングと、該ケーシングの収容部に枢軸により枢支されるとともに、前記ケーブルが前記車体パネルの車内側から車外側へ誘導されるように掛け回されるプーリと、該プーリを覆うように前記収容部を閉塞して、前記ケーシングに固定されるカバーとを有し、前記カバーを前記ケーシングに固定していない状態において、前記プーリの前記ケーブルが掛け回される外周を前記収容部から露呈させる。
【０００７】
（２）上記（１）項において、ケーシングの収容部に、プーリの枢軸が嵌合し、該枢軸を支持可能な枢軸嵌合溝を設ける。
【０００８】
（３）上記（２）項において、カバーに、ケーシングの枢軸嵌合溝に嵌合したプーリの枢軸に当接可能な枢軸押さえ部を設ける。
【０００９】
（４）上記（１）〜（３）項のいずれかにおいて、ケーシングは、ケーブルを車体パネルの車内側から車外側へ挿通させるためのケーブル挿通孔を有し、前記ケーシングにおける前記ケーブル挿通孔の周囲に、前記ケーブル挿通孔を閉塞するとともに、前記ケーブルが摺動可能に挿通し、かつ前記ケーブルの移動方向の向きの変位に追従して撓曲可能なブーツを設ける。
【００１０】
（５）上記（１）〜（４）項のいずれかにおいて、カバーに、ケーシングの収容部に枢支されたプーリの外周に接近する内壁部を設ける。
【００１１】
（６）上記（１）〜（５）項のいずれかにおいて、ケーシングに、ケーブルが摺動可能に挿通される導管の端部が嵌合可能な導管嵌合溝を設け、カバーに、前記導管嵌合溝に嵌合した前記導管の端部に当接し、前記導管の端部を前記導管嵌合溝に押圧可能な導管押さえ部を設ける。
【００１２】
（７）上記（１）〜（６）項のいずれかにおいて、ケーシングまたはカバーの一方に設けた爪部に、他方に設けた孔部を係合することにより、前記カバーを前記ケーシングに固定する。
【００１３】
【発明の実施の形態】
以下、本発明における一実施形態を、図面に基づいて説明する。
図１は、本実施形態を適用したスライドドアを備える車両の斜視図、図２は、室内側から見た開閉装置の正面図、図３は、開閉装置の平面図である。
なお、以下の説明では、図１において、右方を「前方」、左方を「後方」とし、図２及び図３において、右方を「後方」、左方を「前方」とし、図３において、上方を「車外側」、下方を「車内側」とする。
【００１４】
（１）は、車両の車体パネル（２）に前後方向へ開閉可能に支持された開閉体をなす右側のスライドドア（以後、単にドアと記す）で、右側のドア開口の上下に配設された図示略の前後方向を向くアッパーレール及びロアレールと、後部右側の車体パネル（２）の車外側に固定された前後方向を向くガイドレール（３）とにより前後方向へ案内されるとともに、開閉装置（４）によって、ドア開口を閉鎖した図１に示す全閉位置から、車体パネル（２）の外側面より若干外方に移動しつつ、車体パネル（２）に沿って後方へ移動した図示略の全開位置との間を移動可能となっている。
【００１５】
開閉装置（４）は、後部右側の車体パネル（２）の車内側に配置されるモータ駆動ユニット（８）と、モータ駆動ユニット（８）の後述の回転ドラム（９）に巻き取り及び送り出し可能に掛け回されるとともに、ドア（１）に連結される開扉用ケーブル（１０）及び閉扉用ケーブル（１１）と、車体パネル（２）のガイドレール（３）の前後端の近傍に配置される前側及び後側のケーブル案内部材（１６）（１７）とを含んでいる。
【００１６】
モータ駆動ユニット（８）は、車体パネル（２）の車内側に図示略のボルトにより固定されるとともに、金属板により形成されるベースブラケット（５）を有し、このベースブラケット（５）の片面に形成される配置面（５１）、すなわち車内側を向く側面には、図２及び図３に示すように、正逆回転可能なモータ（６）と、ドア（１）に後述のように連結される第１ケーブルをなす開扉用ケーブル（１０）及び第２ケーブルをなす閉扉用ケーブル（１１）が巻き込み及び送り出し可能に掛け回される合成樹脂製の回転ドラム（９）と、モータ（６）の回転を減速して回転ドラム（９）に伝達可能な減速機（７）と、開扉用ケーブル（１０）及び閉扉用ケーブル（１１）のそれぞれに対して張力を付与するための第１ケーブル張力手段をなす後側のケーブル張力手段（１２）及び第２ケーブル張力手段をなす前側のケーブル張力手段（１２ａ）とが、それぞれの位置に配置されている。なお、本実施形態において、ベースブラケット（５）の配置面（５１）は、車内側を向く側面としたが、これに代えて車外側を向く側面としても良い。
【００１７】
上述のように、モータ（６）、減速機（７）、回転ドラム（９）を含むモータ駆動ユニット（８）を、車体パネル（２）に固定されるベースブラケット（５）の片面に形成した配置面（５１）に配置したことにより、モータ駆動ユニット（８）の小型化、特に薄型化が可能となる。これにより、モータ駆動ユニット（８）の取り付けスペースの制約が緩和され、左右ドアに対する共用化が可能となる。
【００１８】
回転ドラム（９）は、ベースブラケット（５）のほぼ中央部に植設される車内側を向く枢軸（１３）をもって、ベースブラケット（５）の配置面（５１）とベースブラケット（５）に固定されるドラムカバー（１５）との間に枢支されるとともに、円柱状のドラム部（９１）の外周面には、開扉用ケーブル（１０）及び閉扉用ケーブル（１１）がそれぞれ巻き込み及び送り出し可能に掛け回される螺旋状の巻取溝（９２）が刻設されている。さらに、ドラム部（９１）のベースブラケット（５）の配置面（５１）に対向する側には、減速機（７）に設けられる後述の出力ギヤ（７１）に噛合するギヤ部（９３）が一体的に形成されている。ギヤ部（９３）の外径は、回転ドラム（９）のドラム部（９１）の外径より拡径となっている。
【００１９】
ドラムカバー（１５）は、回転ドラム（９）のドラム部（９１）の外周面の一部、すなわち各ケーブル（１０）（１１）が回転ドラム（９）のドラム部（９１）の巻取溝（９２）から繰り出される領域を除くドラム部（９１）の外周面を覆う覆い部（１５１）と、覆い部（１５１）から延出されるとともに、ベースブラケット（５）の配置面（５１）に対して平行な複数の取付片（１５２）とを有し、各取付片（１５２）がベースブラケット（５）の後述の第１凹部（５４）を跨ぐように、ベースブラケット（５）の配置面（５１）にボルト（１４）により締結されることにより、ベースブラケット（５）の配置面（５１）に固定される。主に図５に示すように、第１凹部（５４）と取付片（１５２）との間に形成される間隙に、回転ドラム（９）のギヤ部（９３）が収容されるようになっている。
【００２０】
回転ドラム（９）のドラム部（９１）の外周がドラムカバー（１５）の覆い部（１５１）により覆われることにより、回転ドラム（９）のドラム部（９１）に設けられた巻取溝（９２）からの各ケーブル（１０）（１１）の脱落を防止することができ、回転ドラム（９）による各ケーブル（１０）（１１）の巻き取りを確実なものとすることができる。
【００２１】
回転ドラム（９）のギヤ部（９３）の側面に対向する取付片（１５２）及び第１凹部（５４）の底部には、ギヤ部（９３）が枢軸（１３）の軸線方向に対してがた付いたとき、ギヤ部（９３）の側面に当接可能な図５に示す取付片（１５２）の凸部（１５２ａ）及び第１凹部（５４）の凸部（５４ａ）が設けられている。この凸部（１５２ａ）（５４ａ）により、回転ドラム（９）のギヤ部（９３）のがた付きを抑えることができ、回転ドラム（９）のギヤ部（９３）と出力ギヤ（７１）との噛合を確実にするとともに、回転ドラム（９）全体のがた付きを抑えて、回転ドラム（９）のドラム部（９１）に対する各ケーブル（１０）（１１）の巻き取りを確実にすることが可能となる。
【００２２】
なお、本実施形態においては、取付片（１５２）と第１凹部（５４）の両方に凸部を設けたが、この凸部は、取付片（１５２）と第１凹部（５４）とのいずれか一方に設けても良い。
【００２３】
モータ（６）は、図２に示すように、アーマチュアが設けられた出力軸（６１）の軸線方向（Ａ）と平行なモータケーシング（６２）の側面（６２ａ）が、回転ドラム（９）のドラム部（９１）に対向しかつ接近するとともに、軸線方向（Ａ）が斜め下方の方向（回転ドラム（９）の枢軸（１３）に対して直交する方向）へ向くように、回転ドラム（９）の下方に配置される。これにより、モータ駆動ユニット（８）をより小型にすることが可能となり、取り付けスペースの制約が少なくなり、モータ駆動ユニット（８）の左右共用化をより促進させることができる。
【００２４】
減速機（７）は、回転ドラム（９）の下方で、かつモータ（６）の後方に配置されるとともに、ベースブラケット（５）の配置面（５１）に固定されるギヤボックス（７２）の内部には、図４に示すように、モータ（６）の出力軸（６１）に固定されたウォーム（６１ａ）に噛合するウォームホイール（７３）と、ウォームホイール（７３）のギヤ部（７３ａ）に噛合するアイドルギヤ（７４）と、アイドルギヤ（７４）の周囲に設けられる電磁クラッチ（７５）とが収容されている。
【００２５】
減速機（７）の出力ギヤ（７１）は、ギヤボックス（７２）から露出するように設けられ、電磁クラッチ（７５）が励磁されると、アイルドルギヤ（７４）の端面に設けられた吸着面（７４ａ）に吸着され、アイドルギヤ（７４）と一体的に回転して、モータ（６）の回転を減速してギヤ部（９３）を介して回転ドラム（９）に伝達することができる。
【００２６】
出力ギヤ（７１）は、アイドルギヤ（７４）をギヤボックス（７２）内に枢支するための枢軸（７６）と一体的に回転し得るように、枢軸（７６）の一端部（図４において右端部）に固着されている。また、枢軸（７６）の他端部（図４において左端部）には、枢軸（７６）を介して出力ギヤ（７１）と一体的に回転可能な大径のギヤ（７７）が固着されている。
【００２７】
大径のギヤ（７７）は、ウォームホイール（７３）をギヤボックス（７２）内に枢支するための枢軸（７８）に枢支された小径のギヤ（７９）に噛合され、出力ギヤ（７１）の回転を高速して小径のギヤ（７９）に伝達する。
【００２８】
小径のギヤ（７９）の近傍には、高速回転する小径のギヤ（７９）の回転を検出可能なロータリエンコーダ（７９ａ）が設けられている。ロータリエンコーダ（７９ａ）は、小径のギヤ（７９）の回転を検出することによって、検出信号であるパルスを図示略の制御回路に送出して、ドア（１）の開閉位置及び移動方向の検出を可能にしている。
【００２９】
（１８）は、開扉用ケーブル（１０）が摺動可能に挿通される撓曲可能な第１導管で、前端部がベースブラケット（５）の後端部に設けられる後述の切欠き状の第１導管固定部（５２）に嵌合されて固定されるとともに、後端部がガイドレール（３）の後端付近の車体パネル（２）の車内側に配置される後側のケーブル案内部材（１７）に固定される。
【００３０】
（１９）は、閉扉用ケーブル（１１）が摺動可能に挿通される撓曲可能な第２導管で、後端部がベースブラケット（５）の前端部に設けられる後述の切欠き状の第２導管固定部（５３）に嵌合されて固定されるとともに、前端部（１９ａ）がガイドレール（３）の前端付近の車体パネル（２）の車内側に配置される前側のケーブル案内部材（１６）に固定される。
【００３１】
開扉用ケーブル（１０）は、第１導管（１８）の後端から繰り出された後、後側のケーブル案内部材（１７）に誘導されて車体パネル（２）の車内側から車外側へ導出され、ガイドレール（３）の後端から前方へ向けて配策される。そして、開扉用ケーブル（１０）の端末に固着されたケーブルエンド（１０ａ）は、ガイドレール（３）に摺動可能に嵌合されるドア（１）に設けられた図示略のガイドローラに連結される。
【００３２】
閉扉用ケーブル（１１）は、第２導管（１９）の前端から繰り出された後、前側のケーブル案内部材（１６）に誘導されて車体パネル（２）の車内側から車外側へ導出され、ガイドレール（３）の前端から後方へ向けて配策される。そして、閉扉用ケーブル（１１）の端末に固着されたケーブルエンド（１１ａ）は、ドア（１）のガイドローラに連結される。
【００３３】
ベースブラケット（５）の配置面（５１）における回転ドラム（９）のギヤ部（９３）及び減速機（７）の出力ギヤ（７１）に対向する領域には、ギヤ部（９３）及び出力ギヤ（７１）の側面側（配置面（５１）に対向する側）が陥入可能な車外側に凹んだ第１凹部（５４）が設けられている。この第１凹部（５４）は、ベースブラケット（５）における回転ドラム（９）のギヤ部（９３）及び出力ギヤ（７１）が対向する領域の剛性を高めるものである。これにより、ベースブラケット（５）の板厚を増すことなく、回転ドラム（９）のギヤ部（９３）と出力ギヤ（７１）間のギヤピッチのずれを抑えることができ、出力ギヤ（７１）と回転ドラム（９）のギヤ部（９３）間のギヤの伝達効率の向上を図り、ドア（１）を円滑かつ確実に開閉移動させることが可能となる。
【００３４】
第１凹部（５４）における回転ドラム（９）のギヤ部（９３）が陥入する領域には、第１凹部（５４）の剛性をより高めるため、図６に示すように、車内側に突出した＋字形状の補強用ビード（５５）が設けられている。補強用ビード（５５）の中央部には、回転ドラム（９）を枢支するための枢軸（１３）が嵌合される軸孔（５６）が穿設されている。
第１凹部（５４）における出力ギヤ（７１）が陥入する領域の中央部には、出力ギヤ（７１）の枢軸（７６）が回転可能に嵌合される軸孔（５７）が設けられている。
【００３５】
ベースブラケット（５）における前後のケーブル張力手段（１２ａ）（１２）が配置される部分には、開扉用ケーブル（１０）及び閉扉用ケーブル（１１）の移動経路に対向する領域の剛性を高めるための第２凹部（５８）（５８）が開扉用ケーブル（１０）及び閉扉用ケーブル（１１）の移動方向に沿って設けられている。この第２凹部（５８）は、回転ドラム（９）の回転に伴う開扉用ケーブル（１０）及び閉扉用ケーブル（１１）の巻き取り力の反作用によるベースブラケット（５）の歪みを極力抑えることができ、各ケーブル（１０）（１１）の巻き取り力をドア（１）に確実に伝達させることができる。
【００３６】
ベースブラケット（５）のドア（１）の開き方向（後方）を向く後端部には、開扉用ケーブル（１０）が摺動可能に挿通される第１導管（１８）の前端部が固定される第１導管固定部（５２）が設けられ、また同じくドア（１）の閉じ方向（前方）を向く前端部には、第２ケーブル（１１）が摺動可能に挿通される第２導管（１９）の後端部が固定される第２導管固定部（５３）を設けられる。
【００３７】
回転ドラム（９）は、第１導管固定部（５２）と第２導管固定部（５３）との間のベースブラケット（５）のほぼ中央部に枢支される。これにより、第１導管固定部（５２）と第２導管固定部（５３）とは、回転ドラム（９）を境にして前後方向へほぼ対称位置になるように設けられることにより、左右のドアに対するモータ駆動ユニット（８）の共用化をより促進させることができる。
【００３８】
図２に示すように、開扉用ケーブル（１０）の弛みを吸収可能な後側のケーブル張力手段（１２）は、ベースブラケット（５）における回転ドラム（９）と第１導管固定部（５２）との間に配置され、また、閉扉用ケーブル（１１）の弛みを吸収可能な前側のケーブル張力手段（１２ａ）は、ベースブラケット（５）における回転ドラム（９）と第２導管固定部（５３）との間に配置される。これにより、後側のケーブル張力手段（１２）と前側のケーブル張力手段（１２ａ）とは、回転ドラム（９）を境にして前後方向にほぼ対称位置になるようにして、ベースブラケット（５）の配置面（５１）に配置されることにより、各ケーブル（１０）（１１）の弛みを確実に吸収することができるとともに、モータ駆動ユニット（８）の左右共用化をより促進させることができる。
【００３９】
すなわち、第１及び第２導管固定部（５２）（５３）と、後側及び前側のケーブル張力手段（１２）（１２ａ）とを前後対称位置に配置することによって、モータ駆動ユニット（８）を前後逆にして、後部左側の車体パネルの車内側に配置することにより左側のドア（１）に適用することができる。
【００４０】
各ケーブル張力手段（１２）（１２ａ）は、ベースブラケット（５）の配置面（５１）に図示略のボルトにより固定され、かつ各ケーブル（１０）（１１）がそれぞれ前後方向へ挿通するケーシング（１２１）（１２１ａ）を有し、各ケーシング（１２１）（１２１ａ）内に回転可能でかつ上下方向へ移動可能に収容されたプーリ（１２２）（１２２ａ）を、各ケーシング（１２１）（１２１ａ）内に収容された図示略のばねの付勢力によって、各ケーブル（１０）（１１）に対して上方から下方へ押圧することによって、各ケーブル（１０）（１１）の弛みを吸収し得るようになっている。なお、図２は、各ケーブル（１０）（１１）の組付作業を容易にするため、各ケーブル（１０）（１１）に対して張力が作用しないように、各プーリ（１２２）（１２２ａ）を各ケーシング（１２１）（１２１ａ）に設けた係止部（１２３）（１２３ａ）に仮止めした状態を示している。組付完了後、各プーリ（１２２）（１２２ａ）が係止部（１２３）（１２３ａ）から外されることによって、各ケーブル（１０）（１１）に対して張力を作用させるようになっている。
【００４１】
前側のケーブル案内部材（１６）は、前述のように、ガイドレール（３）の前端付近の車体パネル（２）の車内側に配置され、車体パネル（２）に図示略のボルトにより固定される硬質合成樹脂製のケーシング（１６１）と、ケーシング（１６１）に設けられた車外側に向けて凹んだ凹状の収容部（１６１ａ）に上下方向を向く枢軸（１６３）により回転可能に収容され、第１導管（１９）の前端から繰り出される閉扉用ケーブル（１１）を車体パネル（２）の車内側から車外側へ誘導するように掛け回されるプーリ（１６２）と、このプーリ（１６２）を覆うように収容部（１６１ａ）を閉塞して、ケーシング（１６１）に固定される合成樹脂製のカバー（１６４）とを有している。
【００４２】
ケーシング（１６１）の収容部（１６１ａ）がカバー（１６４）により閉塞されていない状態において、プーリ（１６２）は、閉扉用ケーブル（１１）が掛け回される部分の外周が収容部（１６１ａ）から露呈するように、収容部（１６１ａ）に枢支される。これにより、閉扉用ケーブル（１１）をプーリ（１６２）に掛け回す作業を行う場合に、カバー（１６４）をケーシング（１６１）から外した状態で行うことによって、プーリ（１６２）の外周に閉扉用ケーブル（１１）が確実に掛け回されているか否かを目視しながら作業を行うことができる。
【００４３】
ケーシング（１６１）には、車体パネル（２）に図示略のボルトにより締結される上下の取付片（１６１ｂ）（１６１ｂ）と、第１導管（１９）の前端部（１９ａ）が嵌合される導管嵌合溝（１６１ｃ）とが設けられている。
【００４４】
ケーシング（１６１）の収容部（１６１ａ）には、プーリ（１６２）の枢軸（１６３）の両端部が嵌合され、枢軸（１６３）を収容部（１６１ａ）に支持させるためのほぼＵ字状の枢軸嵌合溝（１６１ｄ）が設けられている。
【００４５】
ケーシング（１６１）の車体パネル（２）に設けられた図示略の貫通孔に嵌合する底部には、プーリ（１６２）に掛け回された閉扉用ケーブル（１１）を車体パネル（２）の車内側から車外側へ導出させるためのケーブル挿通孔（１６１ｅ）が設けられている。
【００４６】
ケーブル挿通孔（１６１ｅ）は、ケーシング（１６１）の底部に取り付けられるゴム等の弾性材料で形成されたブーツ（１６５）により閉塞される。ブーツ（１６５）は、閉扉用ケーブル（１１）が摺動可能に隙間無く挿通されるとともに、ドア（１）の開閉移動に伴う閉扉用ケーブル（１１）の移動方向の向きの変位（図１０において矢示Ｂ方向）に追従して撓曲し得るようにガイドレール（３）側に向けて突出している。これにより、ケーブル挿通孔（１６１ｅ）からケーシング（１６１）内への雨水進入を確実に阻止することができるとともに、閉扉用ケーブル（１１）の移動方向の向きを円滑に変位させることができる。
【００４７】
カバー（１６４）の内面側には、ケーシング（１６１）の枢軸嵌合溝（１６１ｄ）に嵌合したプーリ（１６２）の枢軸（１６３）の両端部に当接可能な図１１に示す枢軸押さえ部（１６４ａ）と、閉扉用ケーブル（１１）が掛け回されるプーリ（１６２）の外周に接近する図１０及び図１１に示す円弧状の内壁部（１６４ｂ）と、ケーシング（１６１）の導管嵌合溝（１６１ｃ）に嵌合した第１導管（１９）の前端部（１９ａ）に当接し、前端部（１９ａ）を導管嵌合溝（１６１ｃ）に押圧可能な図１０に示す導管押さえ部（１６４ｃ）とが設けられている。
【００４８】
カバー（１６４）は、前後端に設けられた係合孔（１６４ｄ）を、ケーシング（１６１）の前後端に設けられた爪部（１６１ｆ）に係合させて、ケーシング（１６１）に対して固定することにより、プーリ（１６２）を覆うとともに収容部（１６１ａ）を閉塞する。なお、爪部（１６１ｆ）はカバー（１６４）に設け、係合孔（１６４ｄ）はケーシング（１６１）に設けても良い。
【００４９】
後側のケーブル案内部材（１７）は、ガイドレール（３）の後端付近の車体パネル（２）の車内側に配置され、車体パネル（２）に図示略のボルトにより固定される硬質合成樹脂製のケーシング（１７１）と、ケーシング（１７１）に回転可能に収容され、かつ開扉用ケーブル（１０）が掛け回されるプーリ（１７２）とを有している。なお、この後側のケーブル案内部材（１７）は、基本的な構成について、前側のケーブル案内部材（１６）とほぼ同一であるので、詳細な説明は省略する。また、後側のケーブル案内部材（１７）を前側のケーブル案内部材（１６）と同一構成としても良い。
【００５０】
所定の操作スイッチが操作されると、モータ（６）の出力軸（６１）が回転するとともに、電磁クラッチ（７５）が励磁されて、出力ギヤ（７１）がアイドルギヤ（７４）の吸着面（７４ａ）に吸着される。これにより、モータ（６）の出力軸（６１）の回転は、ウォーム（６１ａ）、ウォーム（６１ａ）に噛合しているウォームホイール（７３）、ウォームホイール（７３）のギヤ部（７３ａ）に噛合しているアイドルギヤ（７４）、アイドルギヤ（７４）に吸着されている出力ギヤ（７１）、出力ギヤ（７１）に噛合している回転ドラム（９）のギヤ部（９３）を介して、回転ドラム（９）に伝達され、回転ドラム（９）は所定の方向へ回転させられる。
【００５１】
このとき、図２において、回転ドラム（９）が反時計方向へ回転した場合には、開扉用ケーブル（１０）が回転ドラム（９）のドラム部（９１）の巻取溝（９２）に巻き取られるとともに、閉扉用ケーブル（１１）が巻取溝（９２）から送り出されることにより、ドア（１）のガイドローラはガイドレール（３）に沿って後退させられて、ドア（１）を開扉方向へ移動させることができる。また、回転ドラム（９）が時計方向へ回転した場合には、閉扉用ケーブル（１１）が回転ドラム（９）のドラム部（９１）の巻取溝（９２）に巻き取られるとともに、開扉用ケーブル（１０）が巻取溝（９２）から送り出されることにより、ドア（１）のガイドローラはガイドレール（３）に沿って前方へ移動させられて、ドア（１）を閉扉方向へ移動させることができる。
【００５２】
回転ドラム（９）が反時計方向へ回転した場合には、回転ドラム（９）のドラム部（９１）の巻取溝（９２）から送り出される方の閉扉用ケーブル（１１）に弛みが発生するが、この弛みは、前側のケーブル張力手段（１２ａ）により吸収される。また、回転ドラム（９）が時計方向へ回転した場合には、回転ドラム（９）のドラム部（９１）の巻取溝（９２）から送り出される方の開扉用ケーブル（１０）に弛みが発生するが、この弛みは、後側のケーブル張力手段（１２）により吸収される。
【００５３】
【発明の効果】
本発明によれば、次のような効果を奏することができる。
（ａ）請求項１記載の発明によると、カバーをケーシングに固定していない状態において、プーリのケーブルが掛け回される外周を収容部から露呈させるようにしたことにより、プーリに対するケーブルの掛け回し作業を目視しながら行うことができ、ケーブルの掛け回し作業を容易かつ確実に行うことができる。
【００５４】
（ｂ）請求項２記載の発明によると、請求項１に係わる発明の効果に加えて、ケーシングの収容部にシャフトを確実に支持することができる。
【００５５】
（ｃ）請求項３記載の発明によると、請求項２に係わる発明の効果に加えて、シャフトのがた付きを確実に抑えることができる。
【００５６】
（ｄ）請求項４記載の発明によると、請求項１〜３のいずれかに係わる発明の効果に加えて、ケーシング内への雨水浸入を確実に阻止することができるとともに、ケーブルの移動方向の向きを円滑に変位させることができる。
【００５７】
（ｅ）請求項５記載の発明によると、請求項１〜４のいずれかに係わる発明の効果に加えて、ケーブルのプーリからの外れを防止することができる。
【００５８】
（ｆ）請求項６記載の発明によると、請求項１〜５のいずれかに係わる発明の効果に加えて、導管の端部をケーシングに確実に固定することができる。
【００５９】
（ｇ）請求項７記載の発明によると、請求項１〜６のいずれかに係わる発明の効果に加えて、カバーをケーシングに対して簡単に固定することができる。
【図面の簡単な説明】
【図１】本発明における一実施形態の適用した車両の斜視図である。
【図２】同じく、室内側から見た開閉装置の正面図である。
【図３】同じく、開閉装置の平面図である。
【図４】図２におけるＩＶ−ＩＶ線に沿う拡大縦断面図である。
【図５】図２におけるＶ−Ｖ線に沿う拡大縦断面図である。
【図６】モータ駆動ユニットにおけるベースブラケットの斜視図である。
【図７】前側のケーブル案内部材の分解斜視図である。
【図８】前側のケーブル案内部材の正面図である。
【図９】前側のケーブル案内部材の平面図である。
【図１０】図８におけるＸ−Ｘ線に沿う横断面図である。
【図１１】図８におけるＸＩ−ＸＩ線に沿う縦断面図である。
【符号の説明】
（１）スライドドア（開閉体）
（２）車体パネル
（３）ガイドレール
（４）開閉装置
（５）ベースブラケット
（５１）配置面
（５２）第１導管固定部
（５３）第２導管固定部
（５４）第１凹部
（５４ａ）凸部
（５５）補強用ビード
（５６）（５７）軸孔
（５８）第２凹部
（６）モータ
（６１）出力軸
（６１ａ）ウォーム
（６２）モータケーシング
（６２ａ）側面
（７）減速機
（７１）出力ギヤ
（７２）ギヤボックス
（７３）ウォームホイール
（７３ａ）ギヤ部
（７４）アイドルギヤ
（７４ａ）吸着面
（７５）電磁クラッチ
（７６）枢軸
（７７）大径のギヤ
（７８）枢軸
（７９）小径のギヤ
（７９ａ）ロータリエンコーダ
（８）モータ駆動ユニット
（９）回転ドラム
（９１）ドラム部
（９２）巻取溝
（９３）ギヤ部
（１０）開扉用ケーブル（第１ケーブル）
（１０ａ）ケーブルエンド
（１１）閉扉用ケーブル（第２ケーブル）
（１１ａ）ケーブルエンド
（１２）後側のケーブル張力手段（第１ケーブル張力手段）
（１２ａ）前側のケーブル張力手段（第２ケーブル張力手段）
（１２１）（１２１ａ）ケーシング
（１２２）（１２２ａ）プーリ
（１２３）（１２３ａ）係止部
（１３）枢軸
（１４）ボルト
（１５）ドラムカバー
（１５１）覆い部
（１５２）取付片
（１５２ａ）凸部
（１６）前側のケーブル案内部材
（１６１）ケーシング
（１６１ａ）収容部
（１６１ｂ）取付片
（１６１ｃ）導管嵌合溝
（１６１ｄ）枢軸嵌合溝
（１６１ｅ）ケーブル挿通孔
（１６１ｆ）爪部
（１６２）プーリ
（１６３）枢軸
（１６４）カバー
（１６４ａ）枢軸押さえ部
（１６４ｂ）内壁部
（１６４ｃ）導管押さえ部
（１６４ｄ）係合孔（孔部）
（１６５）ブーツ
（１７）後側のケーブルケーブル案内部材
（１７１）ケーシング
（１７２）プーリ
（１８）第１導管
（１９）第２導管
（１９ａ）前端部（端部）
（Ａ）出力軸の軸線方向
（Ｂ）ケーブルの変位方向
【図１】
2004346622.tif 000003
【図２】
2004346622.tif 000004
【図３】
2004346622.tif 000005
【図４】
2004346622.tif 000006
【図５】
2004346622.tif 000007
【図６】
2004346622.tif 000008
【図７】
2004346622.tif 000009
【図８】
2004346622.tif 000010
【図９】
2004346622.tif 000011
【図１０】
2004346622.tif 000012
【図１１】
2004346622.tif 000013